(57)【要約】【課題】無目と上窓枠の下枠および下窓枠との連結作業を行ない易くすることができて、作業効率を向上させることができる段窓サッシを提供する。【解決手段】上窓枠１の下枠２６の係止部２７が無目３の室外側向き係止受部２１に係止されているとともに、下枠２６の室内側面部２８と無目３と一体の上上側延出部１４とがねじ３２により室内側から固定され、下窓枠２の上枠２５の係止部３４が無目の室内側向き係止受部２３に係止されているとともに、この上枠２５の室内側面部３５と無目３と別部材の下側延出部１６とがねじ３７により室内側から固定され、かつ下側延出部１６と無目３とがねじ１９により室内側から固定されている。【選択図】      図１
2004316130.tif 000002
【特許請求の範囲】
【請求項１】
上窓枠の下枠と下窓枠の上枠とを無目で連結してなる段窓サッシであって、
前記無目の室内側端部に、上方に延出する延出部および下方に延出する延出部が設けられ、これらの延出部のうちの一方の延出部は前記無目と一体に形成されるとともに、前記無目の室外側端部の前記一方の延出部が延出する側に、室外側向き係止受部が設けられ、
他方の延出部は別部材として形成されるとともに、前記無目の室外側端部の前記他方の延出部が延出する側に、室内側向き係止受部が設けられており、
前記上窓枠の前記下枠および前記下窓枠の前記上枠のうちの一方の下枠または上枠には、前記無目の前記室外側向き係止受部に室外側から挿入されて係止可能な係止部が設けられ、この係止部が前記無目の前記室外側向き係止受部に係止されているとともに、前記一方の下枠または上枠の室内側面部と前記一方の延出部とが固定具により室内側から固定され、
前記他方の上枠または下枠には、前記無目の前記室内側向き係止受部に室内側から挿入されて係止可能な係止部が設けられ、この係止部が前記無目の前記室内側向き係止受部に係止されているとともに、この他方の上枠または下枠の室内側面部と前記他方の延出部とが固定具により室内側から固定され、かつ前記他方の延出部と前記無目とが固定具により室内側から固定されていることを特徴とする段窓サッシ。
【請求項２】
前記無目と一体に形成される前記一方の延出部は、前記無目の室内側端部の上方に延びる延出部であり、別部材として形成される前記他方の延出部は、前記無目の室内側端部の下方に延びる延出部であることを特徴とする請求項１に記載の段窓サッシ。
【発明の詳細な説明】
【０００１】
【発明の属する技術分野】
本発明は、上窓枠の下枠と下窓枠の上枠とを無目で連結してなる段窓サッシに関する。
【０００２】
【従来の技術】
この種の段窓サッシにおいては、従来、無目と上窓枠の下枠および下窓枠の［上枠との連結構造として、次のようなものが知られている（例えば、特許文献１参照）。
すなわち、無目の室内側端部の上部および下部にはそれぞれ、上方および下方に延出する延出部が無目と一体に形成されており、各延出部の各先端部にはそれぞれ、上側および下側が開口された溝からなる螺着部が形成されている。また、無目の室外側端部の上部および下部にはそれぞれ、室外側向き係止受部および室内側向き係止受部が設けられている。一方、上窓枠の下枠の室外側端部の下部には、無目の室外側向き係止受部に室外側から挿入されて係止可能な係止部が設けられており、下窓枠の上枠の室外側端部の上部には、無目の室内側向き係止受部に室内側から挿入されて係止可能な係止部が設けられている。
【０００３】
そして、無目と上窓枠の下枠とは、無目の室外側向き係止受部に下枠の係止部が室外側から挿入されて係止されるとともに、無目の上方に延びる延出部の螺着部に、下枠の固定部（取付部）に形成された孔を挿通させて、ねじが上側からねじ込まれることにより、互いに連結される。また、無目と下窓枠の上枠とは、無目の室内側向き係止受部に上枠の係止部が室内側から挿入されて係止されるとともに、無目の下方に延びる延出部の螺着部に、上枠の固定部（取付部）に形成された孔を挿通させて、ねじが下側からねじ込まれることにより、互いに連結される。
【０００４】
【特許文献１】
特開平１１−１９０１６９号公報
【０００５】
【発明が解決しようとする課題】
しかしながら、このような従来の段窓サッシにあっては、無目と上窓枠の下枠および下窓枠の上枠を連結する場合に、無目と上窓枠の下枠との連結においては、無目の上方に延びる延出部の螺着部にねじを上側からねじ込み、一方無目と下窓枠の上枠との連結においては、無目の下方に延びる延出部の螺着部にねじを下側からねじ込むので、各連結作業毎にねじをねじ込むための工具の方向を大きく変える必要があり、連結作業が煩雑になるという問題がある。
さらに、無目と下窓枠の上枠とを連結する場合に、無目の下方に延びる延出部が無目と一体に形成されているので、無目の室内側向き係止受部と延出部との間で、上枠を係止部を中心にして回転させつつ、無目の室内側向き係止受部に係止部を挿入する必要があり、しかも係止部に無理な力が作用して損傷しないように慎重に作業をしなければならないので、作業性が悪く、作業効率が悪いという問題がある。
【０００６】
本発明は、このような事情に鑑みて為されたもので、無目と上窓枠の下枠および下窓枠との連結作業を行ない易くすることができて、作業効率を向上させることができる段窓サッシを提供することを目的とする。
【０００７】
【課題を解決するための手段】
上記目的を達成するために、請求項１に記載の段窓サッシは、上窓枠の下枠と下窓枠の上枠とを無目で連結してなる段窓サッシであって、
前記無目の室内側端部に、上方に延出する延出部および下方に延出する延出部が設けられ、これらの延出部のうちの一方の延出部は前記無目と一体に形成されるとともに、前記無目の室外側端部の前記一方の延出部が延出する側に、室外側向き係止受部が設けられ、
他方の延出部は別部材として形成されるとともに、前記無目の室外側端部の前記他方の延出部が延出する側に、室内側向き係止受部が設けられており、
前記上窓枠の前記下枠および前記下窓枠の前記上枠のうちの一方の下枠または上枠には、前記無目の前記室外側向き係止受部に室外側から挿入されて係止可能な係止部が設けられ、この係止部が前記無目の前記室外側向き係止受部に係止されているとともに、前記一方の下枠または上枠の室内側面部と前記一方の延出部とが固定具により室内側から固定され、
前記他方の上枠または下枠には、前記無目の前記室内側向き係止受部に室内側から挿入されて係止可能な係止部が設けられ、この係止部が前記無目の前記室内側向き係止受部に係止されているとともに、この他方の上枠または下枠の室内側面部と前記他方の延出部とが固定具により室内側から固定され、かつ前記他方の延出部と前記無目とが固定具により室内側から固定されていることを特徴とする。
【０００８】
すなわち、請求項１に記載の段窓サッシは、上窓枠の下枠と下窓枠の上枠とを無目で連結してなる段窓サッシであって、
前記無目の室内側端部に、上方に延出する延出部および下方に延出する延出部が設けられ、上方に延出する延出部は前記無目と一体に形成されるとともに、前記無目の室外側端部の上側に、室外側向き係止受部が設けられ、
下方に延出するの延出部は別部材として形成されるとともに、前記無目の室外側端部の下側に、室内側向き係止受部が設けられており、
前記上窓枠の前記下枠には、前記無目の前記室外側向き係止受部に室外側から挿入されて係止可能な係止部が設けられ、この係止部が前記無目の前記室外側向き係止受部に係止されているとともに、前記下枠の室内側面部と前記無目と一体の上方に延出する延出部とが固定具により室内側から固定され、
前記下窓枠の上枠には、前記無目の前記室内側向き係止受部に室内側から挿入されて係止可能な係止部が設けられ、この係止部が前記無目の前記室内側向き係止受部に係止されているとともに、この上枠の室内側面部と下方に延出する延出部とが固定具により室内側から固定され、かつ下方に延出する延出部と前記無目とが固定具により室内側から固定されている段窓サッシを含む。
【０００９】
また、請求項１に記載の段窓サッシは、上窓枠の下枠と下窓枠の上枠とを無目で連結してなる段窓サッシであって、
前記無目の室内側端部に、上方に延出する延出部および下方に延出する延出部が設けられ、下方に延出する延出部は前記無目と一体に形成されるとともに、前記無目の室外側端部の下側に、室外側向き係止受部が設けられ、
上方に延出するの延出部は別部材として形成されるとともに、前記無目の室外側端部の上側に、室内側向き係止受部が設けられており、
前記下窓枠の前記上枠には、前記無目の前記室外側向き係止受部に室外側から挿入されて係止可能な係止部が設けられ、この係止部が前記無目の前記室外側向き係止受部に係止されているとともに、前記上枠の室内側面部と前記無目と一体の下方に延出する延出部とが固定具により室内側から固定され、
前記上窓枠の下枠には、前記無目の前記室内側向き係止受部に室内側から挿入されて係止可能な係止部が設けられ、この係止部が前記無目の前記室内側向き係止受部に係止されているとともに、この下枠の室内側面部と上方に延出する延出部とが固定具により室内側から固定され、かつ上方に延出する延出部と前記無目とが固定具により室内側から固定されている段窓サッシを含む。
【００１０】
請求項１に記載の段窓サッシにおいては、無目と上窓枠の下枠および下窓枠の上枠は次のようにして連結される。
すなわち、まず、無目とは別部材として形成された他方の延出部と、他方の上枠または下枠の室内側面部とを、室内側から固定具により固定する。
次いで、無目の室内側向き係止受部に、他方の上枠または下枠の係止部を室内側から挿入させて係止するとともに、他方の延出部と無目とを固定具により室内側から固定する。
また、無目の室外側向き係止受部に、一方の下枠または上枠の係止部を室外側から挿入させて係止するとともに、一方の下枠または上枠の室内側面部と、無目と一体に形成された一方の延出部とを、固定具により室内側から固定する。
【００１１】
請求項１に記載の発明においては、室内外方向の移動により、無目の室内側向き係止受部あるいは室外側向き係止受部に、上窓枠の下枠の係止部あるいは下窓枠の上枠の係止部を挿入させて係止することができ、しかも、他方の延出部と他方の上枠または下枠の室内側面部、無目と他方の延出部および一方の下枠または上枠の室内側面部と一方の延出部とをそれぞれ、固定具より室内側から固定することができる。したがって、ねじ締め等の工具を一方の側から行うことができるなど、連結作業を行ない易くすることができて、作業効率を向上させることができる。
また、無目の室内側向き係止受部に、他方の上枠または下枠の係止部を室内側から挿入させるだけで係止することができるので、この係止作業の際に、係止部に無理な力が作用する虞がないため、この点においても、連結作業を行ない易くすることができて、作業効率を向上させることができる。
さらに、上窓枠の下枠の室内面部および下窓枠の上枠の室内面部にそれぞれ、一方延出部または他方の延出部を固定するので、下枠および上枠のたわみ強度を向上させることができる。
【００１２】
請求項２に記載の段窓サッシは、請求項１に記載の発明において、前記無目と一体に形成される前記一方の延出部は、前記無目の室内側端部の上方に延びる延出部であり、別部材として形成される前記他方の延出部は、前記無目の室内側端部の下方に延びる延出部であることを特徴とする。
【００１３】
すなわち、請求項２に記載の段窓サッシは、上窓枠の下枠と下窓枠の上枠とを無目で連結してなる段窓サッシであって、
前記無目の室内側端部に、上方に延出する延出部および下方に延出する延出部が設けられ、上方に延出する延出部は前記無目と一体に形成されるとともに、前記無目の室外側端部の上側に、室外側向き係止受部が設けられ、
下方に延出するの延出部は別部材として形成されるとともに、前記無目の室外側端部の下側に、室内側向き係止受部が設けられており、
前記上窓枠の前記下枠には、前記無目の前記室外側向き係止受部に室外側から挿入されて係止可能な係止部が設けられ、この係止部が前記無目の前記室外側向き係止受部に係止されているとともに、前記下枠の室内側面部と前記無目と一体の上方に延出する延出部とが固定具により室内側から固定され、
前記下窓枠の上枠には、前記無目の前記室内側向き係止受部に室内側から挿入されて係止可能な係止部が設けられ、この係止部が前記無目の前記室内側向き係止受部に係止されているとともに、この上枠の室内側面部と下方に延出する延出部とが固定具により室内側から固定され、かつ下方に延出する延出部と前記無目とが固定具により室内側から固定されている段窓サッシである。
【００１４】
請求項２に記載の段窓サッシにおいては、無目と上窓枠の下枠および下窓枠の上枠は次のようにして連結される。
すなわち、まず、無目とは別部材として形成された下方に延出する延出部と、下窓枠の上枠の室内側面部とを、室内側から固定具により固定する。
次いで、無目の室内側向き係止受部に、下窓枠の上枠の係止部を室内側から挿入させて係止するとともに、下方に延出する延出部と無目とを固定具により室内側から固定する。
また、無目の室外側向き係止受部に、上窓枠の下枠の係止部を室外側から挿入させて係止するとともに、上窓枠の下枠の室内側面部と、無目と一体に形成され、上方に延出する延出部とを、固定具により室内側から固定する。
【００１５】
請求項２に記載の発明においては、下窓枠の上枠の係止部は、無目の室内側向き係止受部に挿入されて係止可能に設けられている。すなわち、下窓枠の上枠の係止部は外向きに設けられているので、この下窓枠を単体の窓枠として用いたときに、上枠の係止部に雨水等がたまることがない。
【００１６】
【発明の実施の形態】
以下、添付した図面を参照しながら、本発明の実施の形態を説明する。
図１は、本発明の第１の実施の形態に係る断熱段窓サッシ（段窓サッシ）を示す縦断面図である。
本実施の形態では、上窓枠１および下窓枠２はともに、縦すべり出し障子を組み込む窓枠であり、これらが無目３により上下二段に連結されている。
【００１７】
無目３は、アルミニウム合金製の押出形材からなる室外側部材１１および室内側部材１２と、これらの間にかしめにより固定された合成樹脂等の断熱材からなる上下２つの断熱ブリッジ１３により構成されており、これにより断熱構造の無目とされている。
【００１８】
無目３の室内側部材１２の室内側端部には、上方に延出する上側延出部（一方の延出部）１４が一体に形成されている。この上側延出部１４は、上方に少し延びた後、室外側に直角に曲げられ、その後上方に延びており、これにより基端部に室外側が開口した溝部１５が形成されている。
また、室内側部材１２の室内側端部には、室外側部材１２とは別部材の下側延出部（他方の延出部）１６が、下方に延出するように設けられている。すなわち、室内側部材１２の室内側面部１７の上下方向中央部には、室内側が開口された溝からなる螺着部１８が形成されており、下側延出部２１の上端部に形成されたボルト孔にねじ（固定具）１９が挿通されて、この螺着部１８にねじ込まれることにより、下側延出部１６が室内側部材１２に取り付けられている。
【００１９】
無目３の室外側部材１１の室外側端部の上部には、室外側に開口した溝からなる室外側向き係止受部２１が一体に形成され、また室外側部材１１の室外面部２２から少し離れた室外側端部の下部には、室内側に開口した溝からなる室内側向き係止受部２３が一体に形成されている。
【００２０】
上窓枠１および下窓枠２はともに、上枠２５、下枠２６および左右の縦枠（図示せず）により方形に組み立てられて構成されている。上枠２５、下枠２６および縦枠はそれぞれ、アルミニウム合金製の押出形材から形成されている。
【００２１】
上窓枠１の下枠２６の室外側端部の下部には、室内側に突出する細長い板状の突出片からなる係止部２７が形成されており、この係止部２７が無目３の室外側向き係止受部２１に室外側から挿入されて係止されている。
下枠２６の室内側面部２８と無目３との間には、合成樹脂等の断熱材からなる挟持部材３１が介在されており、これにより下枠２６と無目３とが接触しないようにされている。この挟持部材３１は、ねじ（固定具）３２が上側延出部１４および挟持部材３１に室内側から挿通されて、下枠２６の室内側面部２８にねじ込まれることにより、下枠２６の室内側面部２８と無目３の上側延出部１４との間に挟持されている。
また、下枠２６の上側の室内側および上側延出部１４の上側には、合成樹脂等の断熱材からなるアングル３３が嵌合されて固定されている。このアングル３３の下枠２６の上側の部分には大きな中空部が設けられており、これによりアングル３３の断熱性が高められている。
【００２２】
一方、下窓枠２の上枠２５の室外側端部の上部には、室外側に突出する細長い板状の突出片からなる係止部３４が形成されており、この係止部３４が無目３の室内側向き係止受部２３に室内側から挿入されて係止されている。
上枠２５の室内側面部３５と下側延出部１６および無目３との間には、合成樹脂等の断熱材からなる挟持部材３６が介在されており、これにより上枠２５と下側延出部１６および無目３とが接触しないようにされている。この挟持部材３６は、ねじ（固定具）３７が下側延出部１６および挟持部材３２に室内側から挿通されて、上枠２５の室内側面部３５にねじ込まれることにより、上枠２５の室内側面部３５と下側延出部１６との間に挟持されている。
また、上枠２５の下側の室内側および下側延出部１６の下側には、合成樹脂等の断熱材からなるアングル３８が嵌合されて固定されている。このアングル３８の上枠２５の下側の部分には大きな中空部が設けられており、これによりアングル３８の断熱性が高められている。
【００２３】
アングル３３とアングル３８との間には、合成樹脂等の断熱材からなる覆い部材４１が設けられており、これにより無目３の上側延出部１４および下側延出部１６の室内側が覆われて、これらが見えないようにされ、美観が高められている。覆い部材４１は、この覆い部材４１の上下端部にそれぞれ室外側に水平に延びる取付部４２、４３が、アングル３３およびアングル３８の室内側端部にそれぞれ、ねじ４４、４５により上側および下側からねじ止めされることにより、アングル３３およびアングル３８に固定されている。覆い部材４１は、室外側に大きな中空部が設けられことにより、断熱性が高められているとともに、室内側が平面とされることにより、美観が向上されている。
【００２４】
このような断熱段窓サッシにおいては、無目３と上窓枠１の下枠２６および下窓枠２の上枠２５は次のようにして連結される。
すなわち、まず、図２に示すように、下窓枠２の上枠２５にアングル３８を嵌合させて固定しておく。その後、上枠２５の室内側面部３５と下側延出部１６との間に挟持部材３６を介在させて、ねじ３７を下側延出部１６および挟持部材３６に室内側から挿通させて、上枠２５の室内側面部３５にねじ込むことにより、室内側面部３５に下側延出部１６を固定する。
【００２５】
次いで、図３に示すように、目無３の室外側部材１１の室内側向き係止受部２３に、下窓枠２の上枠２５の係止部３４を室内側から挿入させて係止するとともに、下側延出部１６の上端部のボルト孔にねじ１９を室内側から挿通させて、無目３の室内側部材１２の螺着部１８にねじ込むことにより、下側延出部１６を室内側部材１２に固定する。
また、目無３の室外側部材１１の室外側向き係止受部２１に、上窓枠２の下枠２６の係止部２７を室外側から挿入させて係止するとともに、下枠２６の室内側面部２８と無目３の上側延出部１４との間に挟持部材３１を介在させて、ねじ３２を上側延出部１４および挟持部材３１に室内側から挿通させて、下枠２６の室内側面部２８にねじ込むことにより、室内側面部２８に上側延出部１４を固定する。なお、予め、上窓枠１の下枠２６にアングル３３を嵌合させて固定しておく。
このようにすると、図４に示すように、上窓枠１の下枠２６と下窓枠２の上枠２５とが無目３により連結される。
【００２６】
次いで、図５に示すように、覆い部材４１の上下端部の取付部４２、４３をそれぞれ、アングル３３およびアングル３８の室内側端部に、ねじ４４、４５により上側および下側からねじ止めすることにより、覆い部材４１をアングル３３およびアングル３８に固定する。
【００２７】
このように構成された断熱段窓サッシにあっては、室内外方向の移動により、無目３の室内側向き係止受部２３に下窓枠２の上枠２５の係止部３４を挿入させて係止することができ、また無目３の室外側向き係止受部２１に上窓枠１の下枠２６の係止部２７を挿入させて係止することができる。さらに、下側延出部１６と上枠２５の室内側面部３５、無目３と上側延出部１６および下枠２６の室内側面部２８と上側延出部とをそれぞれ、ねじ３７、ねじ１９およびねじ３２より室内側から固定することができる。したがって、ねじ締めのための工具を一方の側から行うことができるなど、連結作業を行ない易くすることができて、作業効率を向上させることができる。
また、無目３の室内側向き係止受部２３に、下窓枠２の上枠２５の係止部３４を室内側から挿入させるだけで係止することができるので、この係止作業の際に、係止部３４に無理な力が作用する虞がないため、この点においても、連結作業を行ない易くすることができて、作業効率を向上させることができる。
さらに、上窓枠１の下枠２６の室内面部２８および下窓枠２の上枠２５の室内面部３５にそれぞれ、上側延出部１４および下側延出部１４を固定するので、下枠２６および上枠２５のたわみ強度を向上させることができる。
【００２８】
図６は、本発明の第２の実施の形態に係る断熱段窓サッシ（段窓サッシ）を示す縦断面図である。なお、図６において、図１と同一構成要素には同一符号を付してその説明を簡略化する。
本実施の形態では、上窓枠５１は、引違い障子を組み込む窓枠であり、下窓枠２は、縦すべり出し障子を組み込む窓枠であり、これらが無目３により上下二段に連結されている。
【００２９】
上窓枠５１は、上枠（図示せず）、下枠５２および左右の縦枠（図示せず）により方形に組み立てられて構成されている。下枠５２は、アルミニウム合金製の押出形材からなる室外側部材５３および室内側部材５４と、これらの間にかしめにより固定された合成樹脂等の断熱材からなる断熱ブリッジ５５により構成されており、これにより断熱構造とされている。上枠および縦枠もそれぞれ、下枠５２と同様に、アルミニウム合金製の押出形材からなる室外側部材および室内側部材と、これらの間にかしめにより固定された合成樹脂等の断熱材からなる断熱ブリッジにより構成されている。
【００３０】
上窓枠５１の下枠５２の室外側部材５３の室外側端部の下部には、室内側に突出する細長い板状の突出片からなる係止部５７が形成されており、この係止部５７が無目３の室外側向き係止受部２１に室外側から挿入されて係止されている。下枠５２の室内側部材５４の室内側面部５８と上側延出部１４とは、ねじ３２により室内側からねじ止めされている。
また、室内側部材５４の上側には、合成樹脂等の断熱材からなるアングル６１嵌合されて固定されている。このアングル６１の室内側端部には、覆い部材４１の取付部４２がねじ４４により上側からねじ止めされている。
また、室外側部材５３に形成された引違い障子用の下部レール６３、６４の間には、合成樹脂等の断熱材からなる断熱部材６５が嵌合されて固定されている。
【００３１】
このような断熱段窓サッシにおいては、無目３と上窓枠５１の下枠５２および下窓枠２の上枠２５は次のようにして連結される。
すなわち、下窓枠２の上枠２５と無目３とは、図１の断熱段窓サッシと同様にして連結される。
また、目無３の室外側部材１１の室外側向き係止受部２１に、上窓枠５１の下枠５２の室外側部材５３の係止部５７を室外側から挿入させて係止するとともに、下枠５２の室内側部材５４の室内側面部２８と無目３の上側延出部１４を、ねじ３２により室内側からねじ止めする。なお、予め、上窓枠５１の下枠５２にアングル６１および断熱部材６５を嵌合させて固定しておく。
【００３２】
次いで、覆い部材４１の上下端部の取付部４２、４３をそれぞれ、アングル６１よびアングル３８の室内側端部に、ねじ４４、４５により上側および下側からねじ止めすることにより、覆い部材４１をアングル３３およびアングル３８に固定する。
【００３３】
図７は、本発明の第３の実施の形態に係る断熱段窓サッシ（段窓サッシ）を示す縦断面図である。なお、図７において、図１と同一構成要素には同一符号を付してその説明を簡略化する。
本実施の形態では、上窓枠７１は、上げ下げ障子を組み込む窓枠であり、下窓枠２は、縦すべり出し障子を組み込む窓枠であり、これらが無目３により上下二段に連結されている。
【００３４】
上窓枠７１は、上枠（図示せず）、下枠７２および左右の縦枠（図示せず）により方形に組み立てられて構成されている。下枠７２は、アルミニウム合金製の押出形材からなる室外側部材７３および室内側部材７４と、これらの間にかしめにより固定された合成樹脂等の断熱材からなる断熱ブリッジ７５により構成されており、これにより断熱構造とされている。上枠および縦枠もそれぞれ、下枠７２と同様に、アルミニウム合金製の押出形材からなる室外側部材および室内側部材と、これらの間にかしめにより固定された合成樹脂等の断熱材からなる断熱ブリッジにより構成されている。
【００３５】
上窓枠７１の下枠７２の室外側部材７３の室外側端部の下部には、室内側に突出する細長い板状の突出片からなる係止部７７が形成されており、この係止部７７が無目３の室外側向き係止受部２１に室外側から挿入されて係止されている。
下枠７２の室内側部材７４の室内側面部７８と上側延出部１４とは、ねじ３２により室内側からねじ止めされている。
また、室内側部材７４の上側には、合成樹脂等の断熱材からなるアングル７９が嵌合されて固定されている。このアングル７９の室内側端部には、覆い部材４１の取付部４２がねじ４４により上側からねじ止めされている。
【００３６】
このような断熱段窓サッシにおいては、無目３と上窓枠７１の下枠７２および下窓枠２の上枠２５は次のようにして連結される。
すなわち、下窓枠２の上枠２５と無目３とを、図１の断熱段窓サッシと同様にして連結する。
また、目無３の室外側部材１１の室外側向き係止受部２１に、上窓枠７１の下枠７２の室外側部材７３の係止部７７を室外側から挿入させて係止するとともに、下枠７２の室内側部材７４の室内側面部７８と無目３の上側延出部１４を、ねじ３２により室内側からねじ止めする。なお、予め、上窓枠７１の下枠７２にアングル７９を嵌合させて固定しておく。
【００３７】
次いで、覆い部材４１の上下端部の取付部４２、４３をそれぞれ、アングル７９よびアングル３８の室内側端部に、ねじ４４、４５により上側および下側からねじ止めすることにより、覆い部材４１をアングル７９およびアングル３８に固定する。
【００３８】
図８は、本発明の第４の実施の形態に係る断熱段窓サッシ（段窓サッシ）を示す縦断面図である。なお、図８において、図１および図７と同一構成要素には同一符号を付してその説明を簡略化する。
本実施の形態では、上窓枠１は、縦すべり出し障子を組み込む窓枠であり、下窓枠８１は、上げ下げ障子を組み込む窓枠であり、これらが無目３により上下二段に連結されている。
【００３９】
下窓枠８１は、上枠８２、下枠（図示せず）および左右の縦枠（図示せず）により方形に組み立てられて構成されている。上枠８２は、アルミニウム合金製の押出形材からなる室外側部材８３および室内側部材８４と、これらの間にかしめにより固定された合成樹脂等の断熱材からなる断熱ブリッジ８５により構成されており、これにより断熱構造とされている。下枠は、図７に示すように構成されており、縦枠も、アルミニウム合金製の押出形材からなる室外側部材および室内側部材と、これらの間にかしめにより固定された合成樹脂等の断熱材からなる断熱ブリッジにより構成されている。
【００４０】
上窓枠８１の上枠８２の室外側部材８３の室外側端部の上部には、室外側に突出する細長い板状の突出片からなる係止部８７が形成されており、この係止部８７が無目３の室内側向き係止受部２３に室外側から挿入されて係止されている。
上枠８２の室内側部材８４の室内側面部８８と下側延出部１６とは、ねじ３７により室内側からねじ止めされている。
また、室内側部材８４の下側には、合成樹脂等の断熱材からなるアングル８９が嵌合されて固定されている。このアングル８９の室内側端部には、覆い部材４１の取付部４３がねじ４５により下側からねじ止めされている。
【００４１】
このような断熱段窓サッシにおいては、無目３と上窓枠１の下枠２６および下窓枠８１の上枠８２は次のようにして連結される。
すなわち、まず、下窓枠８１の上枠８２の室内側部材８４にアングル８９を嵌合させて固定しておく。その後、上枠８２の室内側部材８４の室内側面部８８と下側延出部１６とを、ねじ３７により室内側からねじ止めして固定する。
【００４２】
次いで、目無３の室外側部材１１の室内側向き係止受部２３に、下窓枠８２の上枠８２の室外側部材８３の係止部８７を室内側から挿入させて係止するとともに、下側延出部１６の上端部のボルト孔にねじ１９を室内側から挿通させて、無目３の室内側部材１２の螺着部１８にねじ込むことにより、下側延出部１６を室内側部材１２に固定する。
また、上窓枠１の下枠２６と無目３とを、図１の断熱段窓サッシと同様にして
【００４３】
次いで、覆い部材４１の上下端部の取付部４２、４３をそれぞれ、アングル３３およびアングル８９の室内側端部に、ねじ４４、４５により上側および下側からねじ止めすることにより、覆い部材４１をアングル３３およびアングル８９に固定する。
【００４４】
図９は、本発明の第５の実施の形態に係る断熱段窓サッシ（段窓サッシ）を示す縦断面図である。なお、図８において、図７および図８と同一構成要素には同一符号を付してその説明を簡略化する。
本実施の形態では、上窓枠７１および下窓枠８１はともに、上げ下げ障子を組み込む窓枠であり、これらが無目３により上下二段に連結されている。
【００４５】
上窓枠７１の下枠７２と無目３との連結構造、および下窓枠８１の上枠８２と無目３との連結構造はそれぞれ、図７および図８と同様に構成されている。
覆い部材４１は、アングル７９とアングル８９との間に設けられており、これにより無目３の上側延出部１４および下側延出部１６の室内側が覆われている。覆い部材４１は、この覆い部材４１の上下端部の取付部４２、４３が、アングル７９およびアングル８９の室内側端部にそれぞれ、ねじ４４、４５により上側および下側からねじ止めされることにより、アングル７９およびアングル８９に固定されている。
【００４６】
このような断熱段窓サッシにおいては、無目３と上窓枠７１の下枠７２および下窓枠８１の上枠８２は次のようにして連結される。
すなわち、下窓枠８１の上枠８２と無目３とを、図８の断熱段窓サッシと同様にして連結する。また、上窓枠７１の下枠７２と無目３とを、図７の断熱段窓サッシと同様にして連結する。
次いで、覆い部材４１の上下端部の取付部４２、４３をそれぞれ、アングル７９よびアングル８９の室内側端部に、ねじ４４、４５により上側および下側からねじ止めすることにより、覆い部材４１をアングル７９およびアングル８９に固定する。
【００４７】
上述の図６、図７、図８および図９に示す各断熱段窓サッシにおいても、図１に示す断熱段窓サッシと同様の作用効果を奏することができる。
【００４８】
なお、上述の実施の形態では、上側延出部１４を無目３と一体に形成し、下側延出部１６を別部材としたが、これに代えて、下側延出部を無目と一体に形成し、上側延出部を別部材としてもよい。
【００４９】
また、上述の実施の形態では、本発明を断熱段窓サッシに適用した場合について説明したが、本発明はこれに限らず、断熱構造を採用していない段窓サッシに適用することもできる。
【００５０】
【発明の効果】
以上説明したように、請求項１に記載の段窓サッシによれば、ねじ締め等の工具を一方の側から行うことができ、また、無目の室内側向き係止受部に他方の上枠または下枠の係止部を室内側から挿入させるだけで係止することができて、係止部に無理な力が作用する虞がないので、連結作業を行ない易くすることができて、作業効率を向上させることができる。さらに、上窓枠の下枠および下窓枠の上枠の室内面部にそれぞれ、一方延出部または他方の延出部を固定するので、下枠および上枠のたわみ強度を向上させることができる。
【００５１】
請求項２に記載の段窓サッシによれば、請求項１に記載の発明と同様の作用効果を奏することができ、さらに下窓枠を単体の窓枠として用いたときに、上枠の係止部に雨水等がたまることがないという利点を有する。
【図面の簡単な説明】
【図１】本発明の第１の実施の形態に係る断熱段窓サッシを示す縦断面図である。
【図２】図１の断熱段窓サッシの組み立て方法を説明するための縦断面図である。
【図３】図１の断熱段窓サッシの組み立て方法を説明するための縦断面図である。
【図４】図１の断熱段窓サッシの組み立て方法を説明するための縦断面図である。
【図５】図１の断熱段窓サッシの組み立て方法を説明するための縦断面図である。
【図６】本発明の第２の実施の形態に係る断熱段窓サッシを示す縦断面図である。
【図７】本発明の第３の実施の形態に係る断熱段窓サッシを示す縦断面図である。
【図８】本発明の第４の実施の形態に係る断熱段窓サッシを示す縦断面図である。
【図９】本発明の第５の実施の形態に係る断熱段窓サッシを示す縦断面図である。
【符号の説明】
１、５１、７１    上窓枠
２、８１    下窓枠
３    無目
１４    上側延出部（一方の延出部）
１６    下側延出部（他方の延出部）
１９    ねじ（固定具）
２１    室内側向き係止受部
２３    室外側向き係止受部
２５、８２    上枠
２６、５２、７２    下枠
２７、５７、７７    係止部
２８、５８、７８    室内側面部
３４、８７    係止部
３５、８８    室内側面部
３２    ねじ（固定具）
３７    ねじ（固定具）
【図１】
2004316130.tif 000003
【図２】
2004316130.tif 000004
【図３】
2004316130.tif 000005
【図４】
2004316130.tif 000006
【図５】
2004316130.tif 000007
【図６】
2004316130.tif 000008
【図７】
2004316130.tif 000009
【図８】
2004316130.tif 000010
【図９】
2004316130.tif 000011